(57)【要約】【課題】  ミキシング装置に備えられたフェーダーの操作ノブの移動することができる範囲の一端及び他端を設定することができ、入力されるオーディオ信号の出力レベルを設定した移動範囲内で調節することができるミキシング装置を提供することを目的とする。【解決手段】  オーディオ信号の出力レベルの調節を指示する調節部指示は、抵抗部と、抵抗部に接続され抵抗部上を移動する操作ノブ部と、操作ノブ部が移動する範囲の一端及び他端を定める一対のストッパー部とを有し、操作ノブ部が一端に位置するときの抵抗値をオーディオ信号の出力レベルの上限値とし、操作ノブ部が他端に位置するときの抵抗値をオーディオ信号の出力レベルの下限値として、操作ノブ部が一対のストッパー部により定められる範囲内で位置する抵抗部の抵抗値に応じてオーディオ信号の出力レベルを調節する制御をする制御部を備える。【選択図】  図１
2005192136.tif 000002
【特許請求の範囲】
【請求項１】
複数のオーディオ信号を入力する入力部と、前記入力部から入力されるオーディオ信号の出力レベルの調節を指示する調節指示部と、前記調節指示部により指示される出力レベルでオーディオ信号を出力する出力部とを備えたミキシング装置において、
前記調節指示部は、抵抗部と、前記抵抗部に接続され前記抵抗部の抵抗値を可変するために移動する操作ノブ部と、前記操作ノブ部が移動する範囲の一端及び他端の位置を定める一対のストッパー部とを有し、前記操作ノブ部が前記一端に位置するときの抵抗値をオーディオ信号の出力レベルの下限値とし、前記操作ノブ部が前記他端に位置するときの抵抗値をオーディオ信号の出力レベルの上限値として、前記操作ノブ部が前記一対のストッパー部により定められる範囲内に位置する前記抵抗部の抵抗値に応じてオーディオ信号の出力レベルを調節する制御をする制御部を備えることを特徴とするミキシング装置。
【請求項２】
請求項１に記載のミキシング装置において、
前記抵抗部の抵抗値をアナログデジタル変換するAD変換部と、前記抵抗部の一端及び他端の抵抗値を前記AD変換部により変換したデジタルデータを記憶する記憶部を備えることを特徴とするミキシング装置。
【発明の詳細な説明】
【技術分野】
【０００１】
本発明は、入力される複数のオーディオ信号の出力レベルの調節をし、選択した２つのオーディオ信号の出力レベルを切り替えるミキシング装置に関する。
【背景技術】
【０００２】
従来のミキシング装置は、オーディオ信号を入力する複数の入力端子を備えている。一般に、第n番目の入力端子に入力したオーディオ信号は、第nチャンネルのオーディオ信号と呼ばれる。ミキシング装置には、オーディオ信号の出力レベルを調節するチャンネルフェーダーが各チャンネル毎に設けられている。また、入力される複数のオーディオ信号から２つのオーディオ信号を選択するチャンネル選択ボタン、チャンネル選択ボタンにより選択された２つのオーディオ信号の出力レベル増減しながら切り替える（以下、クロスフェードという）クロスフェーダーを備えている（例えば、特許文献１参照。）。
【０００３】
ミキシング装置に備えられているチャンネルフェーダー、クロスフェーダーなどのフェーダーは、可変抵抗体及びその抵抗値を可変させる操作ノブを備えている。可変抵抗体は、操作ノブと電気的に接続され、操作ノブの位置に応じて可変抵抗体の抵抗値が変化する。図４は、操作ノブの移動量に対する可変抵抗体の抵抗値の変化比率を示した図である。操作ノブの移動量は、操作ノブの移動範囲の一端を０％とし他端を１００％としたとき、一端からの移動量を表す。可変抵抗体の抵抗値の変化率は、操作ノブの位置に応じた可変抵抗体の抵抗値a（≠0）を可変抵抗体の全抵抗値bに対する百分率（a/b×100）で表す。ここで、抵抗値aと全抵抗値bがa≪bである場合、可変抵抗体の抵抗値の変化率（=a/b×100）を０％とする。ミキシング装置では、チャンネルフェーダー、クロスフェーダーの操作ノブの移動量に伴う可変抵抗体の抵抗値の変化比率に応じてオーディオ信号の出力レベルを調節する。例えば、図４に示すように、チャンネルフェーダーの操作ノブの移動量が５０％であり、そのときの可変抵抗体の抵抗値の変化比率が５０％であるとき、オーディオ信号の出力レベルは、最大出力レベルの５０％に減衰される。また、クロスフェーダーの操作ノブの移動量が５０％であり、可変抵抗体の抵抗値の変化比率が５０％であるとき、選択した一方のオーディオ信号の出力レベルを５０％とし、選択した他方のオーディオ信号の出力レベルを５０％として混合出力する。
【０００４】
ミキシング装置を操作してオーディオ信号を再生するDJ（Disc Jockey）は、チャンネルフェーダー、クロスフェーダーなどのフェーダーを頻繁に操作する。フェーダーを操作する回数が多くなると、操作ノブの移動を停止させるストッパー部材が摩耗することによって、操作ノブの移動範囲が大きくなる場合がある。図４に示すように、可変抵抗体には、操作ノブの移動範囲の一端又は他端において、抵抗値の変化比率が０％又は１００％で一定となり可変抵抗体の抵抗値が変化しない抵抗値不変部がある。従来のミキシング装置は、初期状態では、図４に示すA又はBの位置で操作ノブの移動が停止するように、上記ストッパー部材が取り付けられている。操作ノブの頻繁な操作によりこのストッパー部材が摩耗すると、操作ノブの停止位置が図に示すA又はBの位置となり、抵抗値不変部の範囲が広くなり操作に違和感が生じる。
【０００５】
また、DJにとって、オーディオ信号の出力レベルの調節などに多様性のある操作をすることができるミキシング装置が求められている。多様性のある操作として、例えば、オーディオ信号の出力レベルを速く調節したい場合、オーディオ信号の出力レベルを微調節したい場合等がある。出力レベルを速く調節する場合は、操作ノブの移動範囲が小さく、操作ノブの移動量に対する出力レベルの調節量が大きいフェーダーのほうが良い。また、出力レベルを微調節する場合は、操作ノブの移動範囲が大きく、操作ノブの移動量に対する出力レベルの調節量が小さいフェーダーのほうが良い。しかし、従来のミキシング装置では、フェーダーの操作ノブの移動範囲が一定であり、操作ノブの移動量に対するオーディオ信号の出力レベルの調節量が常に一定の割合であった。
【０００６】
【特許文献１】特開平9-28483号公報
【発明の開示】
【発明が解決しようとする課題】
【０００７】
本発明は、ミキシング装置に備えられたフェーダーの操作ノブの移動範囲を可変に設定することができ、操作ノブが設定した一端に位置するときの抵抗値の変化比率において、オーディオ信号の出力レベルを下限値とし、操作ノブが設定した他端に位置するときの抵抗値の変化比率において、オーディオ信号の出力レベルを上限値として、入力されるオーディオ信号の出力レベルを調節することができるミキシング装置を提供することを目的とする。
【課題を解決するための手段】
【０００８】
上記の課題を解決するために、本願の請求項１記載の発明は、複数のオーディオ信号を入力する入力部と、前記入力部から入力されるオーディオ信号の出力レベルの調節指示をする調節指示部と、前記調節指示部により調節指示される出力レベルでオーディオ信号を出力する出力部とを備えたミキシング装置において、前記調節指示部は、抵抗部と、前記抵抗部に接続され前記抵抗部の抵抗値を可変するために移動する操作ノブ部と、前記操作ノブ部が移動する範囲の一端及び他端の位置を定める一対のストッパー部とを有し、前記操作ノブ部が前記一端に位置するときの抵抗値をオーディオ信号の出力レベルの下限値とし、前記操作ノブ部が前記他端に位置するときの抵抗値をオーディオ信号の出力レベルの上限値として、前記操作ノブ部が前記一対のストッパー部により定められる範囲内に位置する前記抵抗部の抵抗値に応じてオーディオ信号の出力レベルを調節する制御をする制御部を備えることを特徴とする。
【０００９】
また、本願の請求項２記載の発明は、請求項１に記載のミキシング装置において、前記抵抗部の抵抗値をアナログデジタル変換するAD変換部と、前記抵抗部の一端及び他端の抵抗値を前記AD変換部により変換したデジタルデータを記憶する記憶部を備えることを特徴とする。
【発明の効果】
【００１０】
本発明のミキシング装置によれば、フェーダーの操作ノブの移動範囲の一端及び他端を可変に設定することができ、操作ノブが設定した一端に位置するときの抵抗値の変化比率において、オーディオ信号の出力レベルを下限値とし、操作ノブが設定した他端に位置するときの抵抗値の変化比率において、オーディオ信号の出力レベルを上限値として、入力されるオーディオ信号の出力レベルを調節することができるミキシング装置を提供することができる。
【発明を実施するための最良の形態】
【００１１】
本発明の実施の形態を図面に基づいて説明する。
図１は、本発明の一実施例のミキシング装置の構成を示すブロック図である。
図１において、１は第１チャンネル（以下、CH1という）のオーディオ信号が入力される入力端子、２は第２チャンネル（以下、CH2という）のオーディオ信号が入力される入力端子、３及び４はAD(Analog to Digital）変換部、５はDSP（Digital Signal Processor）、６はDA(Digital to Analog）変換部、７は出力端子、８は制御部、９は操作部、９aはCH1フェーダー、９bはCH2フェーダー、９cはクロスフェーダー、９dは上限設定ボタン、９eは下限設定ボタン、１０、１１及び１２はAD(Analog to Digital）変換部、１３は表示部、１４はメモリ、２１は操作ノブ、２２可変抵抗部、２３はフェーダー筐体部を示す。本実施例は、２つのオーディオ信号を入力することができるミキシング装置として説明する。
【００１２】
本実施例のミキシング装置の入力端子１及び入力端子２には、アナログレコードプレーヤやCD（Compact Disc）プレーヤ等のオーディオ信号出力端子と接続されたケーブルが接続されている。入力端子１から入力されるCH1のアナログオーディオ信号は、AD変換部３によりデジタルオーディオ信号に変換されてDSP５に入力される。また、入力端子２から入力されるCH2のアナログオーディオ信号は、AD変換部４によりデジタルオーディオデータに変換されてDSP５に入力される。DSP５は、制御部８の制御により出力端子７から出力端子７と接続されたアンプに出力するCH1及びCH2のアナログオーディオ信号の出力レベルの調節、音程の調節、CH1とCH2のデジタルオーディオデータのクロスフェード処理などの音響効果処理を施す。DA変換部６は、DSP５から入力されるデジタルオーディオデータをアナログオーディオ信号に変換する。DA変換部６により変換されたアナログオーディオ信号は、出力端子７から出力される。
【００１３】
操作部９は、CH1のデジタルオーディオデータの出力レベルを調節するCH1フェーダー９a、CH2のデジタルオーディオデータの出力レベルを調節するCH2フェーダー９b、CH1とCH2のデジタルオーディオデータの出力レベルを調節しクロスフェードの操作をするクロスフェーダー９c等のフェーダーを備えている。また、操作部９は、後述する上限設定ボタン９d、下限設定ボタン９eを備えている。表示部１３は、フェーダーの操作により調節される各CHのデジタルオーディオデータの出力レベルをパーセント数値等により表示する。図４に示すように、抵抗値の変化比率が０％であるとき、表示部１３にデジタルオーディオデータの出力レベルが「０％」として表示され、抵抗値の変化比率が１００％であるとき、表示部１３にデジタルオーディオデータの出力レベルが「１００％」として表示される。操作部９及び表示部１３は、本実施例のミキシング装置の上面に設けられている。
【００１４】
操作部９に備えられたCH1フェーダー９aにおいて、操作ノブ２１は、抵抗値が変化する可変抵抗部２２と電気的に接続されている。可変抵抗部２２は、フェーダー筐体部２３の中に備えられている。可変抵抗部２２の抵抗値は、図４に示すように、操作ノブ２１の移動量に応じて変化する。可変抵抗部２２に一定の値の電圧が印加されると、AD変換部１２に可変抵抗部２２の抵抗値に対応した電圧が入力される。AD変換部１２は、入力される電圧をデジタルデータに変換する。制御部８は、AD変換部１２から入力されるデジタルデータから、CH1フェーダー９aの操作ノブ２１の移動量を検出する。同様にして、制御部８は、AD変換部１１から入力されるデジタルデータから、CH2フェーダー９bの操作ノブ２１の移動量を検出し、AD変換部１０から入力されるデジタルデータから、クロスフェーダー９cの操作ノブ２１の移動量を検出する。
【００１５】
図２は、本実施例のミキシング装置のフェーダーの構成を示す図である。図２において、図２（a）は、フェーダーの平面図を示し、図２（b）は、フェーダーの側断面図を示す。図２に示すように、フェーダー筐体部２３は、フェーダー筐体固定ネジ２６により本実施例のミキシング装置の筐体部２７の上面に取り付けられている。開口部２８は、操作ノブ２１の移動方向と平行にフェーダー筐体部２３の両側に位置する筐体部２７に設けられている。一対のストッパー部２４a、２４bは、両端に図示しないネジ穴が設けられている。図２に示すように、ストッパー部２４a及びストッパー部２４bは、操作ノブ２１の移動方向と直交するように配置され、ストッパー固定ネジ２５により筐体部２７に固定される。図２に示す矢印X方向に操作ノブ２１を移動させストッパー部２４aに当接すると、操作ノブ２１は、その当接位置から矢印X方向に移動することができなくなる。同様に、矢印Y方向に操作ノブ２１を移動させストッパー部２４bに当接すると、操作ノブ２１は、その当接位置から矢印Y方向に移動することができなくなる。このため、一対のストッパー部２４a、２４bは、操作ノブが移動する範囲の一端及び他端の位置を定めることができる。
【００１６】
本発明のミキシング装置の第１の実施例について説明する。第１の実施例では、CH1フェーダー９aの操作ノブ２１の移動範囲の一端が可変抵抗部２２の抵抗値の変化比率が０％となる位置にストッパー部２４aを固定し、また、操作ノブ２１の移動範囲の他端が可変抵抗部２２の抵抗値の変化比率が１００％となる位置にストッパー部２４bを固定する。本実施例では、操作ノブ２１を図２に示す矢印X方向に移動すると可変抵抗部２２の抵抗値の変化比率が０％へ減少し、矢印Y方向に移動すると抵抗値の変化比率が１００％へ増加するものとして説明する。
【００１７】
本実施例のミキシング装置の使用者は、一対のストッパー部２４a及びストッパー部２４bを固定するストッパー固定ネジ２５を緩めて、ストッパー部２４が移動できるようにする。そして、表示部１３にデジタルオーディオデータの出力レベルの数値を示す「０％」が表示されるまで、CH1フェーダー９aの操作ノブ２１を矢印X方向に移動させる。表示部１３に「０％」が表示されたときの位置を操作ノブ２１の移動範囲の一端とするために、ストッパー部２４aをその位置に移動させてストッパー固定ネジ２５を締めて固定させる。操作ノブ２１が一端に位置し表示部１３に「０％」が表示されているとき、使用者は、操作部９に備えられた下限設定ボタン９eを押す。下限設定ボタン９eが押されると、制御部８は、AD変換部１２から入力される操作ノブ２１が定めた一端に位置しているときの可変抵抗部２２の抵抗値に対応した電圧を示すデジタルデータ（以下、下限データという。）をメモリ１４に記憶する制御をする。
【００１８】
また、使用者は、CH1フェーダー９aの操作ノブ２１を矢印Y方向に移動させる。表示部１３にデジタルオーディオデータの出力レベルの数値を示す「１００％」が表示されたときの位置を操作ノブ２１の移動範囲の他端とするために、ストッパー部２４bをその位置に移動させてストッパー固定ネジ２５を締めて固定させる。操作ノブ２１が他端に位置し表示部１３に「１００％」が表示されているとき、使用者は、操作部９に備えられた上限設定ボタン９dを押す。上限設定ボタン９dが押されると、制御部８は、AD変換部１２から入力される操作ノブ２１が定めた他端に位置しているときの可変抵抗部２２の抵抗値に対応した電圧を示すデジタルデータ（以下、上限データという。）をメモリ１４に記憶する制御をする。
【００１９】
制御部８は、メモリ１４に記憶された下限データ及び上限データに基づいて、操作部２１が定めた一端と他端の間に位置するときに入力される可変抵抗部２２の抵抗値を示すデジタルデータ（以下、入力データという。）から、CH1の出力レベルを調節する制御をする。図１に示すAD変換部１０乃至１２の分解能が８ビットであるとき、制御部８は、次式（１）を用いて一端と他端の間の操作ノブ２１の移動量を示す値を算出する。
2005192136.tif 000003
本実施例では、操作ノブ２１の移動範囲である一端と他端の間において、操作ノブの位置を０〜２５５（８ビット）であらわすことができる。制御部８は、上式（１）より算出した操作ノブ２１の移動量を示す値に基づいて、DSP５にCH1の出力レベルを調節する制御をする。操作ノブ２１が定めた一端に位置したとき、上式（１）より操作ノブ２１の移動量を示す値が０となり、制御部８は、DSP５にCH1の出力レベルを下限値にする制御をする。操作ノブ２１が定めた他端に位置したとき、操作ノブ２１の移動量を示す値が２５５となり、制御部８は、DSP５にCH1の出力レベルを上限値にする制御をする。制御部８は、上式（１）から操作ノブ２１の移動量を示す値を示す値を算出し、この算出した値に応じてDSP５にCH1の出力レベルを調節する制御をする。したがって、第１の実施例のミキシング装置では、操作ノブ２１の移動範囲の一端と他端が可変抵抗部２２の抵抗値の変化比率が０％と１００％となるように、ストッパー部２４a及びストッパー部２４bを定めることによって、CH1の出力レベル値の下限値及び上限値を設定することができる。なお、上述した第１の実施例は、CH2フェーダー９b及びクロスフェーダー９cについても適用することができる。
【００２０】
本発明のミキシング装置の第２の実施例について説明する。図３は、第２の実施例のフェーダーの操作について説明する図である。第２の実施例では、図３に示すように、CH1フェーダー９aの操作ノブ２１の移動範囲の一端及び他端を任意の位置にストッパー部２４a、２４bで固定する。
【００２１】
本実施例のミキシング装置の使用者は、一対のストッパー部２４a及びストッパー部２４bを固定するストッパー固定ネジ２５を緩めて、ストッパー部２４が移動できるようにする。そして、CH1フェーダー９aの操作ノブ２１の移動範囲の一端として、ストッパー部２４aを任意の位置移動させてストッパー固定ネジ２５を締めて固定させる。使用者は、操作ノブ２１を固定したストッパー部２４aに当接するように移動させた後、操作部９の下限設定ボタン９eを押す。下限設定ボタン９eが押されると、制御部８は、AD変換部１２から入力される操作ノブ２１が定めた一端に位置しているときの可変抵抗部２２の抵抗値に対応した電圧のデジタルデータ（下限データ）をメモリ１４に記憶する制御をする。
【００２２】
また、使用者は、CH1フェーダー９aの操作ノブ２１の移動範囲の他端として、ストッパー部２４bを任意の位置移動させてストッパー固定ネジ２５を締めて固定させる。使用者は、操作ノブ２１を固定したストッパー部２４bに当接するように移動させた後、操作部９の上限設定ボタン９dを押す。上限設定ボタン９dが押されると、制御部８は、AD変換部１２から入力される操作ノブ２１が定めた他端に位置しているときの可変抵抗部２２の抵抗値に対応した電圧のデジタルデータ（上限データ）をメモリ１４に記憶する制御をする。
【００２３】
制御部８は、メモリ１４に記憶された下限データ、上限データ及び入力される可変抵抗部２２の抵抗値を示すデジタルデータ（入力データ）を用いて、上述した操作ノブ２１の移動量を示す値を求める式（１）から一端と他端の間における操作ノブ２１の移動量を示す値を算出する。制御部８は、算出した操作ノブ２１の移動量を示す値に基づいて、DSP５にCH1の出力レベルを調節する制御をする。操作ノブ２１が定めた一端に位置したとき、上式（１）より操作ノブ２１の移動量を示す値が０となり、制御部８は、DSP５にCH1の出力レベルを下限値にする制御をする。操作ノブ２１が定めた他端に位置したとき、操作ノブ２１の移動量を示す値が２５５となり、制御部８は、DSP５にCH1の出力レベルを上限値にする制御をする。制御部８は、上式（１）から操作ノブ２１の移動量を示す値を算出し、この算出した値に応じてDSP５にCH1の出力レベルを調節する制御をする。したがって、第２の実施例のミキシング装置では、予め定められた操作ノブ２１の移動範囲から、ストッパー部２４a及びストッパー部２４bにより操作ノブ２１の移動範囲の一端及び他端を設定することができ、設定した操作ノブ２１の移動範囲の間で、CH1の出力レベル値を下限値から上限値まで調節することができる。なお、上述した第２の実施例は、CH2フェーダー９b及びクロスフェーダー９cについても適用することができる。
【図面の簡単な説明】
【００２４】
【図１】本発明の実施例であるミキシング装置の構成を示すブロック図。
【図２】本発明の実施例であるミキシング装置のフェーダーの構成を示す図。
【図３】本発明の第２の実施例について説明する図。
【図４】操作ノブの移動量に対する抵抗値の変化比率を示した図。
【符号の説明】
【００２５】
１…入力端子、２…入力端子、３…AD変換部、４…AD変換部、５…DSP、６…DA変換部、７…出力端子、８…制御部、９…操作部、９a…CH1フェーダー、９b…CH2フェーダー、９c…クロスフェーダー、９d…上限設定ボタン、９e…下限設定ボタン、１０…AD変換部、１１…AD変換部、１２…AD変換部、１３…表示部、１４…メモリ、２１…操作ノブ、２２…可変抵抗部、２３…フェーダー筐体部、２４a…ストッパー部、２４b…ストッパー部、２５…ストッパー固定ネジ、２６…フェーダー筐体固定ネジ、２７…筐体部、２８…開口部
【図１】
2005192136.tif 000004
【図２】
2005192136.tif 000005
【図３】
2005192136.tif 000006
【図４】
2005192136.tif 000007